(57)【要約】【課題】  テレビジョン受信機本体の配置の自由度の向上を図る。【解決手段】  映像信号に基いて映像を表示する表示器１３を有するテレビジョン受信機本体１１と、このテレビジョン受信機本体１１とは別体に、複数のチャンネルのテレビジョン信号を入力するチューナユニット１２とを備え、このチューナユニット１２は、複数のチャンネルのうち、いずれか１つのチャンネルのテレビジョン信号に対応する映像信号及び音声信号を出力するテレビ受信回路２２と、入力した映像信号及び音声信号を送信データに変換して無線で送信するチューナ側送信部２４とを備え、テレビジョン受信機本体１１は、受信した送信データを映像信号及び音声信号に変換する本体側受信部４１を備えた。【選択図】      図１
2005286709.tif 000002
【特許請求の範囲】
【請求項１】
映像信号に基いて映像を表示する表示器を有するテレビジョン受信機本体と、
このテレビジョン受信機本体とは別体に、複数のチャンネルのテレビジョン信号を入力するチューナユニットとを備え、
このチューナユニットは、
複数のチャンネルのうち、いずれか１つのチャンネルのテレビジョン信号に対応する映像信号及び音声信号を出力するテレビ受信部と、
入力した映像信号及び音声信号を送信データに変換して無線で送信するチューナ側送信部とを備え、
前記テレビジョン受信機本体は、
受信した前記送信データを映像信号及び音声信号に変換する本体側受信部を備えたことを特徴とするテレビジョン受信機。
【請求項２】
請求項１に記載のテレビジョン受信機において、
前記テレビジョン受信機本体は、
前記複数のチャンネルの内、いずれか１つのチャンネルを特定するための制御データを無線で送信する本体側送信部を備え、
前記チューナユニットは、
前記制御データを受信するチューナ側受信部を備え、
前記テレビ受信部は、前記制御データに対応したチャンネルの映像信号及び音声信号を出力することを特徴とするテレビジョン受信機。
【請求項３】
請求項２に記載のテレビジョン受信機において、
前記本体側送信部は、双方向放送に関する応答データを前記チューナ側受信部に無線で送信し、
前記チューナユニットは、前記応答データを公衆回線を介して放送局に送信する外部インタフェース部を備えたことを特徴とするテレビジョン受信機。
【請求項４】
請求項２又は請求項３に記載のテレビジョン受信機において、
前記チューナ側送信部と前記本体側受信部との間の通信、及び前記本体側送信部と前記チューナ側受信部との間の通信は、電波を用いて行われることを特徴とするテレビジョン受信機。
【請求項５】
請求項２又は請求項３に記載のテレビジョン受信機において、
前記チューナ側送信部と前記本体側受信部との間の通信、及び前記本体側送信部と前記チューナ側受信部との間の通信は、光を用いて行われることを特徴とするテレビジョン受信機。
【請求項６】
請求項１乃至請求項５のいずれか一項に記載のテレビジョン受信機において、
前記テレビジョン受信機本体を複数台備え、
前記チューナ側送信部は、
前記複数台のテレビジョン受信機本体に、同一の送信データを無線で送信することを特徴とするテレビジョン受信機。
【請求項７】
請求項１乃至請求項６のいずれか一項に記載のテレビジョン受信機において、
前記チューナユニットは、
テレビジョン信号受信用アンテナが接続される外部アンテナ端子に、アンテナケーブルを介して接続されるアンテナ端子を備え、このアンテナ端子を介して前記複数のチャンネルのテレビジョン信号を入力することを特徴とするテレビジョン受信機。
【発明の詳細な説明】
【技術分野】
【０００１】
テレビジョン受信機本体を備えたテレビジョン受信機に関する。
【背景技術】
【０００２】
従来、表示器を有するテレビジョン受信機本体に、チューナが内臓されているテレビジョン受信機が知られている（例えば、特許文献１参照）。
【０００３】
このテレビジョン受信機本体には、アンテナ端子が設けられており、例えば、屋内の壁面に設けた外部アンテナ端子と、テレビジョン受信機本体のアンテナ端子とをアンテナケーブルで接続することで、テレビジョン受信機本体は、放送されたテレビジョン信号を受信するようにしている。
【特許文献１】特開平５−２５２０６９号公報
【発明の開示】
【発明が解決しようとする課題】
【０００４】
しかしながら、上記テレビジョン受信機では、テレビジョン受信機本体の配置を変更する場合、外部アンテナ端子とテレビジョン受信機本体のアンテナ端子との距離が長くなってしまうと、アンテナケーブルの長さを変更しなければならず、また、アンテナケーブルが邪魔にならないようにアンテナケーブルを這わせる処理が必要であったので、テレビジョン受信機本体の配置の自由度が低いという問題があった。
【０００５】
そこで、本発明の目的は、上述した従来の技術が有する課題を解消し、テレビジョン受信機本体の配置の自由度が向上するテレビジョン受信機を提供することにある。
【課題を解決するための手段】
【０００６】
上記課題を解決するため、本発明は、映像信号に基いて映像を表示する表示器を有するテレビジョン受信機本体と、このテレビジョン受信機本体とは別体に、複数のチャンネルのテレビジョン信号を入力するチューナユニットとを備え、このチューナユニットは、複数のチャンネルのうち、いずれか１つのチャンネルのテレビジョン信号に対応する映像信号及び音声信号を出力するテレビ受信部と、入力した映像信号及び音声信号を送信データに変換して無線で送信するチューナ側送信部とを備え、前記テレビジョン受信機本体は、受信した前記送信データを映像信号及び音声信号に変換する本体側受信部を備えたことを特徴とするものである。
【０００７】
このテレビジョン受信機において、前記テレビジョン受信機本体は、前記複数のチャンネルの内、いずれか１つのチャンネルを特定するための制御データを無線で送信する本体側送信部を備え、前記チューナユニットは、前記制御データを受信するチューナ側受信部を備え、前記テレビ受信部は、前記制御データに対応したチャンネルの映像信号及び音声信号を出力するようにしてもよい。
【０００８】
また、上記テレビジョン受信機において、前記本体側送信部は、双方向放送に関する応答データを前記チューナ側受信部に無線で送信し、前記チューナユニットは、前記応答データを公衆回線を介して放送局に送信する外部インタフェース部を備えてもよい。
【０００９】
更に、上記テレビジョン受信機において、前記チューナ側送信部と前記本体側受信部との間の通信、及び前記本体側送信部と前記チューナ側受信部との間の通信は、電波を用いて行われるようにしてもよい。
【００１０】
更にまた、上記テレビジョン受信機において、前記チューナ側送信部と前記本体側受信部との間の通信、及び前記本体側送信部と前記チューナ側受信部との間の通信は、光を用いて行われるようにしてもよい。
【００１１】
また、上記テレビジョン受信機において、前記テレビジョン受信機本体を複数台備え、前記チューナ側送信部は、前記複数台のテレビジョン受信機本体に、同一の送信データを無線で送信してもよい。
【００１２】
更に、上記テレビジョン受信機において、前記チューナユニットは、テレビジョン信号受信用アンテナが接続される外部アンテナ端子に、アンテナケーブルを介して接続されるアンテナ端子を備え、このアンテナ端子を介して前記複数のチャンネルのテレビジョン信号を入力するようにしてもよい。
【発明の効果】
【００１３】
本発明によれば、テレビジョン受信機本体の配置の自由度が向上する。
【発明を実施するための最良の形態】
【００１４】
以下、本発明の実施形態について図面を参照して説明する。
【００１５】
［１］第１実施形態
図１は、本第１実施形態におけるテレビジョン受信機１０の電気的構成の概略を示すブロック図である。
【００１６】
テレビジョン受信機１０は、テレビジョン受信機本体１１と、このテレビジョン受信機本体１１とは別体に、チューナユニット１２とを備えている。
【００１７】
テレビジョン受信機本体１１は、例えばＬＣＤ等の表示器１３と、スピーカ１４とを備えており、表示器１３には映像が表示され、スピーカ１４からは音が出力される。テレビジョン受信機１０は、地上ディジタルテレビジョン放送に対応しており、双方向放送が可能であり、ユーザによるリモートコントローラ１０１の操作によって、応答データを放送局に送信可能に構成されている。
【００１８】
これらテレビジョン受信機本体１１及びチューナユニット１２は、例えば、室内に設置されるものである。室内の壁面には、屋外に設置された不図示のテレビジョン信号受信用アンテナに接続された外部アンテナ端子１０２が形成されている。従って、テレビジョン受信機１０は、この外部アンテナ端子１０２を通じて放送局により放送された複数のチャンネルのテレビジョン信号を取得することができる。
【００１９】
チューナユニット１２には、アンテナ端子２１が設けられており、外部アンテナ端子１０２とチューナユニット１２のアンテナ端子２１とが、アンテナケーブルとしての同軸ケーブル１０３で接続される。具体的には、同軸ケーブル１０３の両端には、各アンテナ端子２１，１０２に接続されるアンテナプラグ１０４，１０５が形成され、同軸ケーブル１０３の一端のアンテナプラグ１０４が外部アンテナ端子１０２に接続され、他端のアンテナプラグ１０５がアンテナ端子２１に接続される。従って、チューナユニット１２は、アンテナ端子２１を介して複数のチャンネルのテレビジョン信号を入力することとなる。
【００２０】
チューナユニット１２は、アンテナ端子２１より入力した複数のチャンネルのテレビジョン信号うち、いずれか１つのチャンネルのテレビジョン信号に対応する映像信号及び音声信号を出力するテレビ受信回路（テレビ受信部）２２を備えている。
【００２１】
このテレビ受信回路２２は、制御回路２３により制御される。具体的に説明すると、制御回路２３は、チャンネルを特定するための制御データを入力した場合、テレビ受信回路２２に制御信号を出力する。テレビ受信回路２２は、入力した制御信号に基き、制御データに対応したチャンネルのテレビジョン信号を受信し、受信したテレビジョン信号を復調して、映像信号及び音声信号をチューナ側送信部２４に出力する。ここで、上記制御データには、ステレオ、音声多重、２ヶ国語、文字放送、データ放送などの各モードを特定するデータも含まれており、テレビ受信回路２２は、各モードに対応してテレビジョン信号を復調し、映像信号及び音声信号をチューナ側送信部２４に出力する。
【００２２】
チューナ側送信部２４は、入力した映像信号及び音声信号を送信データに変換してアンテナ２７を介して無線で送信するものである。このチューナ側送信部２４は、エンコード回路２５と、Ｉ／Ｆ送信回路２６とを備えている。エンコード回路２５は、テレビジョン受信機本体１１に映像信号及び音声信号を送るために、入力した映像信号及び音声信号を送信データに変換（エンコード）してＩ／Ｆ送信回路２６に出力する。このエンコード回路２５は、映像信号を、例えば、ＭＰＥＧ１、ＭＰＥＧ２或いはＭＰＥＧ４の形式等の圧縮したデータに変換するようにしてもよい。Ｉ／Ｆ送信回路２６は、入力した送信データをアンテナ２７により送信可能な信号に変調し、この送信データを示す信号をアンテナ２７を介して電波で送信する。つまり、チューナ側送信部２４は、テレビジョン受信機本体１１に映像信号及び音声信号を無線で送信するために送信データに変換している。これによって、映像の画質の劣化を低減させることができる。
【００２３】
テレビジョン受信機本体１１は、受信した送信データを映像信号及び音声信号に変換する本体側受信部４１を備えている。本体側受信部４１は、Ｉ／Ｆ受信回路４２と、デコード回路４３とを備えており、Ｉ／Ｆ受信回路４２は、アンテナ４０を介して送信データを示す信号を受信して復調し、送信データをデコード回路４３に出力する。デコード回路４３は、入力した送信データを映像信号及び音声信号に変換（デコード）し、映像信号を映像回路４４に出力するとともに、音声信号を音声回路４５に出力する。
【００２４】
映像回路４４は、入力した映像信号に基いて表示器１３に映像を表示させる制御を行う。つまり、表示器１３は、映像信号に基いた映像を表示する。また、音声回路４５は、入力した音声信号に基いてスピーカ１４に音を出力させる制御を行う。つまり、スピーカ１４は、音声信号に基いた音を出力する。
【００２５】
テレビジョン受信機本体１１は、リモートコントローラ１０１から画質の変更や音質の変更を示す映像音声制御信号、チャンネルを特定するためのチャンネル制御信号、双方向放送に関する応答信号などの各種信号を示す光信号を受信するリモコン受信回路４６を備えている。
【００２６】
リモコン受信回路４６は、映像音声制御信号を制御回路４７に出力する。制御回路４７は、入力した映像音声制御信号に基いて、映像回路４４、或いは音声回路４５を制御する。具体的には、制御回路４７は、映像回路４４に映像制御信号を出力し、音声回路４５に音声制御信号を出力する。そして、映像回路４４は、入力した映像制御信号に基いて表示器１３に表示される画質を変更している。また、音声回路４５は、入力した音声制御信号に基いてスピーカ１４により出力される音を変更している。
【００２７】
テレビジョン受信機本体１１は、チャンネル制御信号を制御データに変換してアンテナ４０を介して無線で送信するとともに、応答信号を応答データに変換してアンテナ４０を介して無線で送信する本体側送信部４８を備えている。つまり、リモコン受信回路４６は、リモートコントローラ１０１からチャンネル制御信号を示す光信号を入力した場合は、復調してチャンネル制御信号を本体側送信部４８に出力し、応答信号を示す光信号を入力した場合は、復調して応答信号を本体側送信部４８に出力する。
【００２８】
本体側送信部４８は、入力したチャンネル制御信号を制御データに変換してアンテナ４０を介して電波で送信し、また、入力した応答信号を応答データに変換してアンテナ４０を介して電波で送信する。具体的は、本体側送信部４８は、エンコード回路４９とＩ／Ｆ送信回路５０とを備えており、エンコード回路４９は、入力したチャンネル制御信号を、制御データに変換してＩ／Ｆ送信回路５０に出力し、また、入力した応答信号を、応答データに変換してＩ／Ｆ送信回路５０に出力する。Ｉ／Ｆ送信回路５０は、入力した制御データ或いは応答データをアンテナ４０により送信可能な信号に変調し、この制御データ或いは応答データを示す信号をアンテナ４０を介して電波で送信する。
【００２９】
チューナユニット１２は、アンテナ２７を介して制御データ或いは応答データを示す信号を受信するチューナ側受信部２８を備えている。チューナ側受信部２８は、Ｉ／Ｆ受信回路２９とデコード回路３０とを備えており、Ｉ／Ｆ受信回路２９は、アンテナ２７を介して制御データ或いは応答データを示す信号を受信して復調を行い、制御データ或いは応答データをデコード回路３０に出力する。デコード回路３０は、制御データを入力した場合は、制御回路２３に制御データを出力する。制御回路２３は、上述したように、テレビ受信回路２２に制御信号を出力し、テレビ受信回路２２は、制御回路２３の制御信号に基き、制御データに対応したチャンネルの映像信号及び音声信号をエンコード回路２５に出力する。
【００３０】
つまり、ユーザがリモートコントローラ１０１を用いてチャンネルを選局した際は、テレビジョン受信機本体１１からチューナユニット１２に制御データが送信され、この制御データに対応したチャンネルの映像信号及び音声信号を示す送信データがチューナユニット１２からテレビジョン受信機本体１１に送信されることとなる。
【００３１】
また、デコード回路３０は、応答データを入力した場合は、外部インタフェース回路（外部インタフェース部）３１に応答データを出力する。この外部インタフェース回路３１は、入力した応答データを公衆回線を介して放送局に送信するものである。
【００３２】
以上、本第１実施形態では、テレビジョン受信機本体１１とは別体に、外部アンテナ端子１０２に同軸ケーブル１０３で接続されるチューナユニット１２を設け、チューナユニット１２は、テレビジョン受信機本体１１に映像信号及び音声信号を示す送信データを無線で送信するようにしたので、テレビジョン受信機本体１１と外部アンテナ端子１０２とを同軸ケーブルで配線する必要がなくなり、配線の煩わしさを解消することができるとともに、室内におけるテレビジョン受信機本体１１の配置の自由度が向上するものである。また、テレビジョン受信機本体１１の配置を変更する際に、チューナユニット１２は、設置位置を変更する必要が無いか、或いは、少しずらすだけでよいので、外部アンテナ端子１０２とチューナユニット１２のアンテナ端子２１との距離を最小限にすることが可能であり、同軸ケーブル１０３の長さを変更する必要が無い。
【００３３】
また、本第１実施形態では、チューナユニット１２において電波により送信データを送信するようにしているので、チューナユニット１２とテレビジョン受信機本体１１との間に、例えば家具等の障害物があっても、テレビジョン受信機本体１１において、チューナユニット１２から送信された送信データを受信することができる。従って、室内におけるテレビジョン受信機本体１１の配置の自由度が更に向上するものである。
【００３４】
［２］第２実施形態
図２は、本第２実施形態におけるテレビジョン受信機１０Ａを示す説明図である。上記第１実施形態と異なるのは、テレビジョン受信機１０Ａが、複数台のテレビジョン受信機本体１１を備えている点である。以下、この第２実施形態において、上記第１実施形態と同様な部分は、同一の符号を付すことにより説明を省略する。
【００３５】
テレビジョン受信機１０Ａは、図２に示すように、１台のチューナユニット１２と、複数台（例えば、２台）のテレビジョン受信機本体１１とを備えている。
【００３６】
チューナユニット１２のチューナ側送信部２４（図１参照）は、送信可能なエリア内にある複数台のテレビジョン受信機本体１１に、同一の送信データを無線で送信するものである。これによって、各テレビジョン受信機本体１１の本体側受信部４１（図１参照）は、送信データを受信して映像信号及び音声信号に変換し、各テレビジョン受信機本体１１の表示器１３（図１参照）は、同一の映像を表示するとともに、各テレビジョン受信機本体１１のスピーカ１４（図１参照）は、同一の音を出力することとなる。従って、１台のチューナユニット１２を用いて映像信号及び音声信号を示す送信データを同時に複数台のテレビジョン受信機本体１１に送信することができ、外部アンテナ端子１０２と複数台のテレビジョン受信機本体１１とを同軸ケーブルで配線する必要がないので、複数台のテレビジョン受信機本体１１の配置の自由度が向上するものである。
【００３７】
また、いずれか１台のテレビジョン受信機本体１１のリモコン受信回路４６（図１参照）においてリモートコントローラ１０１によりチャンネルを特定する光信号を受信した場合、このテレビジョン受信機本体１１の本体側送信部４８（図１参照）は、制御データを電波で送信する。この制御データを受信したチューナユニット１２は、送信可能なエリア内にある複数台のテレビジョン受信機本体１１に、特定したチャンネルに対応する送信データを送信し、各テレビジョン受信機本体１１の表示器１３において特定したチャンネルに対応する同一の映像が表示され、各テレビジョン受信機本体１１のスピーカ１４において特定したチャンネルに対応する同一の音が出力されることとなる。
【００３８】
つまり、ユーザがいずれか１台のテレビジョン受信機本体１１にリモートコントローラ１０１を用いてチャンネルを選局した場合、全てのテレビジョン受信機本体１１の表示器１３において選局したチャンネルに対応した映像が表示され、全てのテレビジョン受信機本体１１のスピーカ１４において選局したチャンネルに対応した音が出力される。
【００３９】
従って、全てのテレビジョン受信機本体１１に、同時に特定したチャンネルに対応する映像を表示させることができるとともに、同時に特定したチャンネルに対応する音声を出力させることができるので、ユーザの操作性が向上するものである。
【００４０】
［３］第３実施形態
図３は、本第３実施形態におけるテレビジョン受信機１０Ｂの電気的構成の概略を示すブロック図である。本第３実施形態において、上記第１、第２実施形態と異なるのは、チューナ側送信部２４と本体側受信部４１との間の通信、及び本体側送信部４８とチューナ側受信部２８との間の通信が、光を用いて行われる点である。以下、この第３実施形態において、上記第１実施形態と同様な部分は、同一の符号を付すことにより説明を省略する。
【００４１】
本第３実施形態では、チューナユニット１２Ａは、図３に示すように、上記第１実施形態のアンテナ２７（図１）の代わりに、発光部２７Ａ及び受光部２７Ｂを備えている。また、テレビジョン受信機本体１１Ａは、図３に示すように、上記第１実施形態のアンテナ４０（図１）の代わりに、発光部４０Ａ及び受光部４０Ｂを備えている。
【００４２】
チューナユニット１２Ａの発光部２７Ａは、Ｉ／Ｆ送信回路２６より出力された送信データを示す電気信号を光信号に変換してテレビジョン受信機本体１１Ａに送信している。テレビジョン受信機本体１１Ａの受光部４０Ｂは、受信した送信データを示す光信号を電気信号に変換してＩ／Ｆ受信回路４２に出力している。
【００４３】
また、テレビジョン受信機本体１１Ａの発光部４０Ａは、Ｉ／Ｆ送信回路５０より出力された制御データ或いは応答データを示す電気信号を光信号に変換してチューナユニット１２Ａに送信している。チューナユニット１２Ａの受光部２７Ｂは、受信した制御データ或いは応答データを示す光信号を電気信号に変換してＩ／Ｆ受信回路２９に出力している。
【００４４】
以上、本第３実施形態によれば、テレビジョン受信機本体１１Ａと、チューナユニット１２Ａとの間に光を遮蔽する遮蔽物が無いように、テレビジョン受信機本体１１Ａ及びチューナユニット１２Ａを配置しなければならないものの、上記第１実施形態と同様に、テレビジョン受信機本体１１Ａに同軸ケーブルを配線する必要がなくなり、配線の煩わしさを解消することができるとともに、室内におけるテレビジョン受信機本体１１Ａの配置の自由度が向上するという種々の効果を奏するものである。
【００４５】
以上、実施形態に基づいて本発明を説明したが、本発明は、これに限定されるものではない。
【００４６】
例えば、上記実施形態では、リモートコントローラ１０１の操作によりチャンネルが特定される場合について説明したが、これに限るものではなく、チャンネルを特定するための操作部をチューナユニットに設けてもよいし、チューナユニットとは別体に、チューナユニットに有線或いは無線で接続されるチャンネルを特定するための操作部を備えてもよい。
【図面の簡単な説明】
【００４７】
【図１】第１実施形態におけるテレビジョン受信機の電気的構成の概略を示すブロック図である。
【図２】第２実施形態におけるテレビジョン受信機を示す説明図である。
【図３】第３実施形態におけるテレビジョン受信機の電気的構成の概略を示すブロック図である。
【符号の説明】
【００４８】
１０，１０Ａ，１０Ｂ  テレビジョン受信機
１１，１１Ａ  テレビジョン受信機本体
１２，１２Ａ  チューナユニット
１３  表示器
１４  スピーカ
２１  アンテナ端子
２２  テレビ受信回路（テレビ受信部）
２４  チューナ側送信部
２８  チューナ側受信部
３１  外部インタフェース回路（外部インタフェース部）
４１  本体側受信部
４８  本体側送信部
１０２  外部アンテナ端子
１０３  同軸ケーブル（アンテナケーブル）
【図１】
2005286709.tif 000003
【図２】
2005286709.tif 000004
【図３】
2005286709.tif 000005